(57)【要約】  ここに開示する実施形態は、ポータブル電子装置の内部スペースの効率的な使用を促進するために積み重ね構成で配列された異なる寸法の電極シートのセットを備えたバッテリセルに関する。例えば、電極シートは、ポータブル電子装置の形状を受け容れるように積み重ね構成で配列される。積み重ね構成は、非長方形バッテリ設計、例えば、トロイダル設計、Ｌ字型設計、三角形設計、パイ状設計、円錐状設計、及び／又はピラミッド設計をベースとしている。【選択図】図１
2013535774.tif 000002
【特許請求の範囲】
【請求項１】
並列構成で電気的に結合された異なる寸法の電極シートのセットを備え、
前記電極シートは、ポータブル電子装置内のスペースの効率的な利用を促進するように積み重ね構成で配列される、バッテリセル。
【請求項２】
前記電極シートを包囲するポーチを更に備えた、請求項１に記載のバッテリセル。
【請求項３】
前記ポーチ内で前記電極シートの下に配置された堅牢なプレートを更に備えた、請求項２に記載のバッテリセル。
【請求項４】
前記電極シートを並列構成で電気的に結合することは、
導電性タブの第１セットを電気的に結合することを含み、それら導電性タブの第１セットの各々は、１つの電極シートのカソードに結合され、更に、
導電性タブの第２セットを電気的に結合することを含み、それら導電性タブの第２セットの各々は、１つの電極シートのアノードに結合される、
請求項１に記載のバッテリセル。
【請求項５】
前記導電性タブの第１セットは、ワイヤボンディング技術、スポット溶接技術、クリンプ技術、リベット技術、及び超音波溶接技術の少なくとも１つを使用して電気的に結合される、請求項４に記載のバッテリセル。
【請求項６】
前記電極シートは、非長方形バッテリ設計に基づいて積み重ね構成で配列される、請求項１に記載のバッテリセル。
【請求項７】
前記非長方形バッテリ設計は、トロイダル設計、Ｌ字型設計、三角形設計、パイ状設計、円錐状設計、及びピラミッド設計の少なくとも１つである、請求項６に記載のバッテリセル。
【請求項８】
ポータブル電子装置の電源を形成する方法であって、
異なる寸法の電極シートのセットを、ポータブル電子装置内のスペースの効率的な利用を促進するように積み重ね構成で配列し、
前記電極シートを並列構成で電気的に結合する、
ことを含む方法。
【請求項９】
前記電極シートをポーチで包囲することを更に含む、請求項８に記載の方法。
【請求項１０】
前記電極シートの下に堅牢なプレートを配置することを更に含む、請求項９に記載の方法。
【請求項１１】
前記電極シートを並列構成で電気的に結合することは、
導電性タブの第１セットを電気的に結合することを含み、それら導電性タブの第１セットの各々は、１つの電極シートのカソードに結合され、更に、
導電性タブの第２セットを電気的に結合することを含み、それら導電性タブの第２セットの各々は、１つの電極シートのアノードに結合される、
請求項８に記載の方法。
【請求項１２】
前記導電性タブの第１セットは、ワイヤボンディング技術、スポット溶接技術、クリンプ技術、リベット技術、及び超音波溶接技術の少なくとも１つを使用して電気的に結合される、請求項１１に記載の方法。
【請求項１３】
前記電極シートは、トロイダル設計、Ｌ字型設計、三角形設計、パイ状設計、円錐状設計、及びピラミッド設計の少なくとも１つに基づき積み重ね構成で配列される、請求項８に記載の方法。
【請求項１４】
セルのセットを備え、前記セルの各々は、
並列構成で電気的に結合された異なる寸法の電極シートのセットを備え、
前記電極シートは、ポータブル電子装置内のスペースの効率的な利用を促進するように積み重ね構成で配列される、バッテリパック。
【請求項１５】
前記セルの各々は、更に、
前記電極シートの下に配置された堅牢なプレートと、
前記電極シート及び堅牢なプレートを包囲するポーチと、
を備えた請求項１４に記載のバッテリパック。
【請求項１６】
前記電極シートを並列構成で電気的に結合することは、
導電性タブの第１セットを電気的に結合することを含み、それら導電性タブの第１セットの各々は、１つの電極シートのカソードに結合され、更に、
導電性タブの第２セットを電気的に結合することを含み、それら導電性タブの第２セットの各々は、１つの電極シートのアノードに結合される、
請求項１４に記載のバッテリパック。
【請求項１７】
前記導電性タブの第１セットは、ワイヤボンディング技術、スポット溶接技術、クリンプ技術、リベット技術、及び超音波溶接技術の少なくとも１つを使用して電気的に結合される、請求項１６に記載のバッテリパック。
【請求項１８】
前記電極シートは、トロイダル設計、Ｌ字型設計、三角形設計、パイ状設計、円錐状設計、及びピラミッド設計の少なくとも１つに基づき積み重ね構成で配列される、請求項１４に記載のバッテリパック。
【請求項１９】
前記電極シートは、ポータブル電子装置の形状を受け容れるように積み重ね構成で配列される、請求項１４に記載のバッテリパック。
【請求項２０】
バッテリパックにより付勢されるコンポーネントのセットを備え、
前記バッテリパックは、
セルのセットを備え、前記セルの各々は、
並列構成で電気的に結合された異なる寸法の電極シートのセット、
を備え、
前記電極シートは、ポータブル電子装置内のスペースの効率的な利用を促進するように積み重ね構成で配列される、ポータブル電子装置。
【請求項２１】
前記セルの各々は、更に、
前記電極シートの下に配置された堅牢なプレートと、
前記電極シート及び堅牢なプレートを包囲するポーチと、
を備えた請求項２０に記載のポータブル電子装置。
【請求項２２】
前記電極シートを並列構成で電気的に結合することは、
導電性タブの第１セットを電気的に結合することを含み、それら導電性タブの第１セットの各々は１つの電極シートのカソードに結合され、更に、
導電性タブの第２セットを電気的に結合することを含み、それら導電性タブの第２セットの各々は、１つの電極シートのアノードに結合される、
請求項２０に記載のポータブル電子装置。
【請求項２３】
前記導電性タブの第１セットは、ワイヤボンディング技術、スポット溶接技術、クリンプ技術、リベット技術、及び超音波溶接技術の少なくとも１つを使用して電気的に結合される、請求項２２に記載のポータブル電子装置。
【請求項２４】
前記電極シートは、トロイダル設計、Ｌ字型設計、三角形設計、パイ状設計、円錐状設計、及びピラミッド設計の少なくとも１つに基づき積み重ね構成で配列される、請求項２０に記載のポータブル電子装置。
【請求項２５】
前記電極シートは、ポータブル電子装置の形状を受け容れるように積み重ね構成で配列される、請求項２４に記載のポータブル電子装置。
【発明の詳細な説明】
【技術分野】
【０００１】
本発明は、ポータブル電子装置のバッテリに関する。より詳細には、本発明は、ポータブル電子装置内のスペースの効率的な使用を促進するための非長方形バッテリセルの設計及び構造に関する。
【背景技術】
【０００２】
再充電可能なバッテリは、現在、ラップトップコンピュータ、移動電話、ＰＤＡ、デジタル音楽プレーヤ及びコードレス電源ツールを含む種々様々なポータブル電子装置へ電力を供給するのに使用される。最も一般的に使用されている形式の再充電可能なバッテリは、リチウムイ・オン又はリチウム・ポリマーバッテリを含むリチウムバッテリである。
【０００３】
リチウム・ポリマーバッテリは、多くの場合に、柔軟なポーチにパックされたセルを含む。そのようなポーチは、典型的に、軽量で、製造経費が安い。更に、ポーチは、スペースに制約のあるポータブル電子装置、例えば、移動電話、ラップトップコンピュータ及び／又はデジタルカメラにリチウム・ポリマーバッテリを使用できるように種々のセル寸法に仕立てられる。例えば、リチウム・ポリマーバッテリセルは、ロール状電極及び電解液をアルミ処理ラミネートポーチに包囲することにより９０−９５％のパッケージング効率を得ることができる。次いで、複数のポーチをポータブル電子装置内に並置しそして直列及び／又は並列に電気的に結合して、ポータブル電子装置用のバッテリを形成することができる。
【０００４】
しかしながら、既存のバッテリパックアーキテクチャーにおけるセルの使用及び配列によってスペースの効率的な使用が制限される。特に、バッテリパックは、典型的に、同じ容量、サイズ及び寸法の長方形セルを収容する。セルの物理的配列は、更に、セルの電気的構成を反映する。例えば、６セルのバッテリパックは、同じサイズ及び容量の６つのリチウム・ポリマーセルを、直列に２つ並列に３つ（２ｓ３ｐ）の構成にしたものを含む。バッテリパック内では、並置した３つのセルの２行を互いに上下に積み重ね、各行は並列構成で電気的結合され、そして２つの行は直列構成で電気的接続される。その結果、バッテリパックは、少なくとも、各セルの長さ、各セルの厚みの２倍、及び各セルの巾の３倍であるスペースをポータブル電子装置に必要とする。更に、バッテリパックは、バッテリパックに指定された長方形スペースの外側にあるポータブル電子装置内の空きスペースを利用することができない。
【発明の概要】
【発明が解決しようとする課題】
【０００５】
したがって、リチウム・ポリマーバッテリセルを収容するバッテリパックのパッケージング効率、容量、フォームファクタ、コスト、設計及び／又は製造に関連した改善により、ポータブル電子装置の使用を促進することができる。
【課題を解決するための手段】
【０００６】
ここに開示する実施形態は、ポータブル電子装置の内部スペースの効率的な使用を促進するために積み重ね構成で配列された異なる寸法の電極シートのセットを備えたバッテリセルに関する。例えば、電極シートは、ポータブル電子装置の形状を受け容れるように積み重ね構成で配列される。積み重ね構成は、非長方形バッテリ設計、例えば、トロイダル設計、Ｌ字型設計、三角形設計、パイ状設計、円錐状設計、及び／又はピラミッド設計をベースとしている。
【０００７】
電極シートは、並列構成で電気的に結合される。並列構成は、導電性タブの第１セットを電気的に結合することを伴い、導電性タブの第１セットの各々は、１つの電極シートのカソードに結合され、且つ導電性タブの第２セットを電気的に結合することも伴い、導電性タブの第２セットの各々は、１つの電極シートのアノードに結合される。
【０００８】
ある実施形態において、導電性タブの第１セットは、ワイヤボンディング技術、スポット溶接技術、クリンプ技術、リベット技術、及び超音波溶接技術の少なくとも１つを使用して、電気的に結合される。導電性タブの第２セットも、同じ技術（１つ又は複数）を使用して電気的に結合される。
【０００９】
ある実施形態において、バッテリセルは、電極シートを包囲するポーチも含む。
【００１０】
ある実施形態において、バッテリセルは、ポーチ内部の電極シートの下に配置された堅牢なプレートも含む。
【図面の簡単な説明】
【００１１】
【図１】一実施形態によるバッテリセルを示す。
【図２】一実施形態によるバッテリセルの非長方形設計を示す。
【図３】一実施形態によるバッテリセルの非長方形設計を示す。
【図４】一実施形態によるバッテリセルの非長方形設計を示す。
【図５】一実施形態によるバッテリセルの非長方形設計を示す。
【図６】一実施形態によるポータブル電子装置内のバッテリの配置を示す。
【図７】一実施形態によるポータブル電子装置内のバッテリの配置を示す。
【図８】一実施形態によるバッテリ製造プロセスを示すフローチャートである。
【図９】一実施形態によるポータブル電子装置を示す。
【発明を実施するための形態】
【００１２】
添付図面において、同じ要素は同じ参照番号で示す。
【００１３】
以下の説明は、当業者が実施形態を形成して使用できるようにするために表現されたもので、特定の用途及び要件に関してなされたものである。当業者であれば、ここに開示する実施形態に対して種々の変更が容易に明らかであり、そしてここに定義される一般的な原理は、本開示の精神及び範囲から逸脱せずに他の実施形態及び用途にも適用することができる。従って、本発明は、ここに示す実施形態に限定されず、ここに開示する原理及び特徴と矛盾しない最も広い範囲に一致するものとする。
【００１４】
この詳細な説明に述べるデータ構造及びコードは、典型的に、コンピュータシステムにより使用するためのコード及び／又はデータを記憶することのできる装置又は媒体であるコンピュータ読み取り可能な記憶媒体に記憶される。コンピュータ読み取り可能な記憶媒体は、揮発性メモリや、不揮発性メモリや、ディスクドライブ、磁気テープ、ＣＤ（コンパクトディスク）、ＤＶＤ（デジタル多様性ディスク又はデジタルビデオディスク）のような磁気及び光学記憶装置や、或いは現在知られているか又は今後開発されるコード及び／又はデータを記憶できる他の媒体を含むが、これに限定されない。
【００１５】
詳細な説明の章に述べる方法及びプロセスは、上述したコンピュータ読み取り可能な記憶媒体に記憶できるコード及び／又はデータとして実施することができる。コンピュータシステムは、コンピュータ読み取り可能な記憶媒体に記憶されたコード及び／又はデータを読み取りそして実行するときに、データ構造体及びコードとして実施されそしてコンピュータ読み取り可能な記憶媒体内に記憶された方法及びプロセスを実行する。
【００１６】
更に、ここに述べる方法及びプロセスは、ハードウェアモジュール又は装置に含ませることができる。これらのモジュール又は装置は、特定用途向け集積回路（ＡＳＩＣ）チップ、フィールドプログラマブルゲートアレイ（ＦＰＧＡ）、特定の時期に特定のソフトウェアモジュール又はコードの断片を実行する専用又は供用プロセッサ、及び／又は現在知られているか又は今後開発される他のプログラマブルロジック装置を含むが、これに限定されない。ハードウェアモジュール又は装置は、それらがアクチベートされたとき、それらの中に含まれた方法及びプロセスを遂行する。
【００１７】
ここに開示する実施形態は、非長方形設計のバッテリセルを提供する。このバッテリセルは、積み重ね構成で配列された異なる寸法の電極シートのセットを含む。積み重ね構成の非長方形の形状は、ポータブル電子装置内のスペースの効率的な使用を促進する。「非長方形」という語は、セルが切断平面を通して長方形でないことを意味し、即ち上、下、又は横から見たときにセルが長方形でないことを意味する。例えば、非長方形の積み重ね構成は、トロイダル設計、Ｌ字型設計、三角形設計、パイ状設計、円錐状設計及び／又はピラミッド設計をベースとする。又、電極シートは、ポーチに包囲されて、リチウム・ポリマーバッテリセルを形成する。更に、ポーチ内の電極シートの下に堅牢なプレートが配置されて、バッテリセルの構造上の支持をなすことができる。
【００１８】
次いで、電極シートは、並列構成で電気的に結合される。特に、各電極シートのカソードは、第１セットの導電性タブのうちの１つに電気的に結合され、そして各電極シートのアノードは、第２セットの導電性タブのうちの１つに電気的に結合される。第１セットの導電性タブは、次いで、ワイヤボンディング技術、スポット溶接技術、クリンプ技術、リベット技術、及び／又は超音波溶接技術を使用して、電気的に結合される。第２セットの導電性タブも、同じ技術（１つ又は複数）を使用して電気的に結合される。第１及び第２セットの導電性タブは、ポーチのシールを通して延び、バッテリセルの端子をなす。
【００１９】
図１は、一実施形態によるバッテリセルを示す。このバッテリセルは、ラップトップコンピュータ、移動電話、タブレットコンピュータ、パーソナルデジタルアシスタント（ＰＤＡ）、ポータブルメディアプレーヤ、デジタルカメラ、及び／又は他の形式のバッテリ付勢式電子装置のようなポータブル電子装置に電力を供給する。
【００２０】
図１に示されたように、バッテリセルは、楔型の階段状構造を形成する多数の層１０２−１０８を含む。層１０２−１０８は、薄い電極シートから形成され、各電極シートは、片側ではバッテリセルのカソードを、そして他側ではバッテリセルのアノードをなす。例えば、各電極シートは、厚みが約２０ミクロンである。また、電極シートは、リチウム又は亜鉛のアノード及び二酸化マンガンのカソードを含む。
【００２１】
更に、電極シートは、積み重ね構成で配列されて、層１０２−１０８を形成する。特に、バッテリセルの階段状のカーブした構造は、４つの異なるサイズのフラットなパイ状の電極シートを使用して形成される。第１に、最も大きなサイズの一連の電極シートが積み重ねられて層１０２を形成し、次いで、層１０２の頂部に一連のより小さなパイ状の電極シートが積み重ねられて層１０４を形成する。層１０２−１０４が形成された後、層１０４の頂部に３番目に大きな多数の電極シートが積み重ねられて層１０６を形成し、そして最後に、層１０６の頂部に最も小さな電極シートが配置されて層１０８を形成する。
【００２２】
電源を形成するために、電極シートは、並列構成で電気的に結合され、そしてポーチ１１６に包囲される。電極シートを電気的に結合するために、電極シートからの各カソードが第１セットの導電性タブのうちの１つに電気的に結合され、そして電極シートからの各アノードが第２セットの導電性タブのうちの１つに電気的に結合される。第１セットの導電性タブは、次いで、ワイヤボンディング技術、スポット溶接技術、クリンプ技術、リベット技術、及び／又は超音波溶接技術を使用して電気的に結合されて、バッテリセルの正端子１１０を形成する。
【００２３】
また、同じ技術（１つ又は複数）を使用して第２セットの導電性タブを電気的に結合し、バッテリセルの負端子１１２を形成する。例えば、バッテリセルは、電極シート及び導電性タブの角を整列させる１つ以上の面に対して導電性タブに結合された電極シートを積み重ねることによりアッセンブルされる。次いで、導電性タブが一緒にスポット溶接されて端子１１０−１１２を形成する。
【００２４】
バッテリセルをポーチ１１６で包囲するため、ポリマーラミネートのシート及び／又は別の形式の柔軟なポーチ材料の上に層１０２−１０８が配置される。次いで、層１０２−１０８の頂部にポーチ材料の別のシートが配置され、そして２枚のシートが熱シールされ及び／又は折り返される。或いは又、ある側（例えば、非端子側）でシールされ及び／又は折り返されたポーチ材料の２枚のシート間に層１０２−１０８が配置されてもよい。残りの側部（１つ又は複数）を熱シールし及び／又は折り返してポーチ１１６内に層１０２−１０８を包囲する。端子１１０−１１２は、ポーチ１１６のシールを通して延び、ポータブル電子装置の他のコンポーネントにバッテリセルを電気的に結合することができる。
【００２５】
当業者であれば、電極シートが薄く及び／又は柔軟性があることで、ポータブル電子装置内への設置及び／又は取り扱い中にバッテリセル内で電極シートを屈曲させ及び／又は変形させられることが明らかであろう。その結果、堅牢なプレート１１４を層１０２−１０８の下に配置して、バッテリセルの構造上の支持を与えることができる。
【００２６】
１つ以上の実施形態において、図１のバッテリセルは、ポータブル電子装置内のスペースの効率的な利用を促進する。例えば、バッテリセルの階段状の及び／又はカーブした縁は、ポータブル電子装置のカーブしたエンクロージャー内にバッテリセルを適合させることができるようにする。また、ポータブル電子装置のエンクロージャーの曲率に良く適合するように層（例えば、層１０２−１０８）の枚数を増加又は減少することもできる。換言すれば、バッテリセルは、ポータブル電子装置の形状を収容する非対称的及び／又は非長方形設計を含む。従って、バッテリセルは、同じポータブル電子装置の長方形バッテリセルよりも大きな容量、パッケージング効率、及び／又は電圧を与えることができる。バッテリセルの非長方形設計は、図２−５を参照して更に詳細に説明する。
【００２７】
図２は、一実施形態によるバッテリセルの非長方形設計を示す。より詳細には、図２は、多数の層２０２−２０８をもつバッテリセルのトップダウン図である。層２０２−２０８は、バッテリセルのためのトロイダル及び／又は円錐状設計に基づく積み重ね構成で異なる寸法の電極シートを配列することにより形成される。したがって、図２のバッテリセルに使用される電極シートは、丸及び／又は楕円である。
【００２８】
更に、層２０２−２０８を形成する電極シートは、２つの端子２１０−２１２を形成できるように中空である。各端子２１０−２１２は、電極シートのカソード又はアノードを接続する導電性タブのセットを含む。例えば、端子２１０は、バッテリセルの正の端子に対応し、そして互いに且つ電極シートのカソードに電気的に結合される導電性タブの第１セットを含む。端子２１２は、バッテリセルの負の端子に対応し、そして互いに且つ電極シートのアノードに電気的に結合される導電性タブの第２セットを含む。
【００２９】
図２のバッテリセルは、ポータブル電子装置の周囲に適合するように設計される。例えば、層２０２−２０８は、ポータブル電子装置のカーブした及び／又はスカラップ状輪郭を受け容れ、一方、バッテリセルの中空内部は、ポータブル電子装置の中央部にコンポーネント（例えば、プリント回路板（ＰＣＢ）、プロセッサ、メモリ、記憶装置、ディスプレイ、光学的ドライブ、等）を配置できるようにする。ポータブル電子装置内にバッテリセルを配置することは、図６−７を参照して以下に詳細に述べる。
【００３０】
図３は、一実施形態によるバッテリセルの非長方形設計を示す。図２のバッテリセルと同様に、図３のバッテリセルは、厚みが同じ（例えば、１０−２０ミクロン）で且つサイズが変化する丸い及び／又は楕円の電極シートを積み重ねることにより形成された多数の層３０２−３１０を備えている。しかしながら、層３０２−３１０が中空でないから、バッテリセルの端子３１２−３１４は、層３０２−３１０の外側に配置される。バッテリセルの歪んだ円錐形状は、ポータブル電子装置のくぼんだポケットにバッテリセルを嵌合できるようにする。
【００３１】
図４は、一実施形態によるバッテリセルの非長方形設計を示す。図４のバッテリセルは、１つの縁に沿って整列されて積み重ねられる三角形電極シートの４枚の層４０２−４０８から形成される。各個々の層４０２、４０４、４０６及び４０８は、同じサイズの電極シートを含むが、異なる層４０２、４０４、４０６及び４０８が、４つの異なるサイズの電極シートから形成されてもよい。したがって、バッテリセルは、ピラミッド状及び／又は三角形設計に基づく。更に、端子４１０−４１２のセットは、電極シートを並列構成で電気的に結合し、バッテリセルがポータブル電子装置へ電力を供給できるようにする。
【００３２】
図５は、一実施形態によるバッテリセルの非長方形設計を示す。図５のバッテリセルは、積み重ね構成で配列された方形電極シートの４枚の層５０２−５０８を含む。しかしながら、図１−４のバッテリセルとは異なり、図５の電極シートは、互いに上下に中心が決められる。その結果、バッテリセルの端子５１０−５１２は、導電性タブが電気的に結合されるべきでない電極シートの表面に重畳する導電性タブから形成される。例えば、層５０４の電極シートに電気的結合される導電性タブは、層５０２の最上部電極シートと重畳する。
【００３３】
重畳する電極シートと導電性タブとの間に電流が流れるのを防止するために、導電性タブと電極シートとの間にＫａｐｔｏｎ（ＫａｐｔｏｎTMは、Ｅ．Ｉ．ｄｕ  Ｐｏｎｔ  ｄｅ  Ｎｅｍｏｕｒｓ  ａｎｄ  Ｃｏｍｐａｎｙ  Ｃｏｒｐｏｒａｔｉｏｎの登録商標）のような絶縁材料層を配置することにより、導電性タブが電気的に結合されてはならない電極シートの重畳面から導電性タブを絶縁することができる。バッテリセルに絶縁材をこのように使用することで、任意の三次元（３Ｄ）形状のバッテリセルを形成することができ、ひいては、バッテリセルを使用するポータブル電子装置内のスペースの効率的な利用を更に促進する。
【００３４】
図６は、一実施形態によるポータブル電子装置内のバッテリ６０２の配置を示す。図６に示すように、バッテリ６０２のトップダウン図は、ポータブル電子装置の外周に沿ってバッテリ６０２が配置されたことを示す。更に、バッテリは、ポータブル電子装置のカーブした及び／又はスカラップ形状を受け容れるためにトロイダル、Ｌ字型及び／又はパイ状設計を含む。バッテリの内部は、ポータブル電子装置内にコンポーネントを配置できるように中空である。
【００３５】
図７は、一実施形態によるポータブル電子装置内のバッテリ７０２の配置を示す。バッテリ７０２は、図６のバッテリ６０２と同じ設計に基づく。より詳細には、バッテリ７０２の断面図は、ポータブル電子装置のカーブした側部に沿ったスペースをバッテリ７０２が埋めることを示す。その結果、バッテリ７０２は、同じポータブル電子装置に使用される長方形バッテリに勝る高いパッケージング効率及び／又は容量を表わす。
【００３６】
図８は、一実施形態によりバッテリセルを製造するプロセスを示すフローチャートである。１つ以上の実施形態において、１つ以上のステップが省略され、繰り返され、及び／又は異なる順序で遂行されてもよい。したがって、図８に示すステップの特定の構成は、実施形態の範囲を限定するものと解釈してはならない。
【００３７】
第１に、ポータブル電子装置内のスペースの効率的な利用を促進するために異なる寸法の電極シートのセットが積み重ね構成で配列される（動作８０２）。非長方形（例えば、トロイダル、Ｌ字型、三角形、パイ状、円錐状、ピラミッド状）バッテリ設計に基づくバッテリセルを形成するために、例えば、厚みが同じで且つ長さ及び／又は巾が異なる電極シートが積み重ねられる。
【００３８】
次いで、電極シートが並列構成で電気的に結合される（動作８０４）。電極シートからの各カソードが、導電性タブの第１セットのうちの１つに電気的に結合され、そして電極シートからの各アノードが、導電性タブの第２セットのうちの１つに電気的に結合される。次いで、第１セットの導電性タブが、ワイヤボンディング技術、スポット溶接技術、クリンプ技術、リベット技術、及び／又は超音波溶接技術を使用して電気的に結合されて、バッテリセルの正の端子を形成する。導電性タブの第２セットも同じ技術（１つ又は複数）を使用して電気的に結合されて、バッテリセルの負の端子を形成する。更に、導電性タブと電極シートとの間にＫａｐｔｏｎのような絶縁材料層を配置することにより、導電性タブが電気的に結合されてはならない電極シートの重畳面から導電性タブを絶縁することができる。
【００３９】
また、バッテリセルの構造上の支持を与えるために、電極シートの下に堅牢なプレートを配置することもできる（動作８０６）。そのような構造上の支持は、ポータブル電子装置内への設置及び／又は取り扱い中にバッテリセルが撓み及び／又は歪むのを防止する。最後に、電極シート及び堅牢なプレートがポーチで包囲される（動作８０８）。その結果、バッテリセルは、ポータブル電子装置の形状を受け容れるように設計されたリチウム・ポリマーバッテリセルに対応する。例えば、バッテリセルは、長方形セルを収容するバッテリパックに勝る増加された容量及び／又はパッケージング効率を与えるようにポータブル電子装置のカーブした内部に配置することができる。
【００４０】
上述した再充電可能なバッテリセルは、一般的に、任意の形式の電子装置に使用することができる。例えば、図９は、バッテリ９０６により全て付勢されるプロセッサ９０２、メモリ９０４及びディスプレイ９０８を備えたポータブル電子装置９００を示している。このポータブル電子装置９００は、ラップトップコンピュータ、移動電話、ＰＤＡ、ポータブルメディアプレーヤ、デジタルカメラ及び／又は他の形式のバッテリ付勢の電子装置に対応する。バッテリ９０６は、１つ以上のバッテリセルを含むバッテリパックに対応する。各バッテリセルは、積み重ね構成で配列された異なる寸法の電極シートのセットを含む。積み重ね構成は、ポータブル電子装置９００内のスペースの効率的利用を促進する。例えば、積み重ね構成は、スカラップ形状の移動電話の周囲に沿ってバッテリ９０６を適合できるようにする。
【００４１】
種々の実施形態の以上の説明は、例示の目的で表現されたものに過ぎない。これは、余すところのないものでも、又、本発明をここに開示した形態に限定するものでもない。従って、当業者であれば、多数の変更や修正が明らかであろう。更に、以上の開示は、本発明を限定するものではない。
【符号の説明】
【００４２】
１０２−１０８：層
１１０：正の端子
１１２：負の端子
１１６：ポーチ
２０２−２０８：層
２１０−２１２：端子
３０２−３１０：層
３１２−３１４：端子
４０２−４０８：層
４１０−４１２：端子
５０２−５０８：層
５１０−５１２：端子
６０２：バッテリ
７０２：バッテリ
９００：ポータブル電子装置
９０２：プロセッサ
９０４：メモリ
９０６：バッテリ
９０８：ディスプレイ
【図１】
2013535774.tif 000003
【図２】
2013535774.tif 000004
【図３】
2013535774.tif 000005
【図４】
2013535774.tif 000006
【図５】
2013535774.tif 000007
【図６】
2013535774.tif 000008
【図７】
2013535774.tif 000009
【図８】
2013535774.tif 000010
【図９】
2013535774.tif 000011
【国際調査報告】
2013535774.tif 000012
2013535774.tif 000013